(57)【要約】【課題】  この考案は、従来の接着剤に代えて、溶媒を用いない、即ち、無溶媒の手段により接着し、環境に優しく、臭気が無く、溶媒による火災の心配も無く、溶媒の乾燥時間が節約でき、場所も節約でき、又、熟練を必要としない、フィルム状のテープ型接着剤を開発・提供する事にある。【解決手段】  接着シートが所定の幅と、所定の長さと、所定の厚みを有するフィルム状の接着シートと剥離シートを二枚重ねにし、且つ、テープ状に巻付して成り、且つ、無溶媒の接着手段を用いて接着可能にしたものである。又、フィルム状の接着シートが、ポリアミド系、ポリオレフィン系、ポリウレタン系、Ｅ．Ｖ．Ａ系、ポリエステル系等の樹脂をベースとした無溶媒の接着剤から選ばれ、且つ、熱手段、加圧手段、摩擦手段等の無溶媒の接着手段から選ばれたものである。【選択図】  図１
0003105224.tif 000002
【実用新案登録請求の範囲】
【請求項１】
航空機、船舶、車輌、家庭電器々具、自動車、競技用ラミネートボール等の各種基材と基材、又は繊維資材とその他の基材等の２部材間を固着する接着シートにおいて、該接着シートは、所定の幅（Ｗ）と、所定の長尺長さ（Ｌ）と、所定の厚み（Ｔ）を有するフィルム状の接着シート（１）と剥離シート（２）を二枚重ねにし、且つ、長尺方向にテープ状に巻付して成り、且つ、無溶媒の接着手段を用いて接着可能にした事を特徴とするテープ型接着剤。
【請求項２】
フィルム状の接着シート（１）が、ポリアミド系、ポリオレフィン系、ポリウレタン系、Ｅ．Ｖ．Ａ系、ポリエステル系等の樹脂をベースとした無溶媒の接着剤から選ばれたものである事を特徴とする実用新案登録請求の範囲第１項記載のテープ型接着剤。
【請求項３】
無溶媒の接着手段が、熱手段、加圧手段、摩擦手段である事を特徴とする実用新案登録請求の範囲第１項記載のテープ型接着剤。
【考案の詳細な説明】
【技術分野】
【０００１】
この考案は、航空機、船舶、車輌、家庭電器々具、自動車、競技用ラミネートボール等の各種基材と基材、又は繊維資材とその他の基材等の、２部材間を固着するフィルム状のテープ型接着剤に関するものである。
【背景技術】
【０００２】
従来、接着剤には各種色々有って、液状のものや、固形状のものや、或いはセロハンテープや両面テープ等の様にセロハンの片面、又は両面に接着剤を塗布したテープ状のもの等、用途に応じて様々なものが使用されている。
【０００３】
又、これまでに、接着剤に関する、数多くの出願がされているが、その中の一例を紹介する。例えば、ホルムアルデヒド等の有害物質を放出する事がなく、しかも、強固な接着力を有するものがある。（特許文献１を参照。）
【特許文献１】特開２００４−１１５７３８
【０００４】
しかし、これらの接着剤の中でも、特に液状の接着剤は、作業性・経済性・安全性・品質面で問題が多く、早急にこれらの解決策が望まれている。
【考案の開示】
【考案が解決しようとする課題】
【０００５】
そこで、この考案は、従来の接着剤に代えて、溶媒を用いない、即ち、無溶媒の手段により接着し、環境に優しく、臭気が無く、溶媒による火災の心配も無く、溶媒の乾燥時間が節約でき、場所も節約でき、又、熟練を必要としない、フィルム状のテープ型接着剤を開発・提供する事にある。
【課題を解決するための手段】
【０００６】
この考案は、接着シートが所定の幅と、所定の長さと、所定の厚みを有するフィルム状の接着シートと剥離シートを二枚重ねにし、且つ、テープ状に巻付して成り、且つ、無溶媒の接着手段を用いて接着可能にしたものである。又、フィルム状の接着シートが、ポリアミド系、ポリオレフィン系、ポリウレタン系、Ｅ．Ｖ．Ａ系、ポリエステル系等の樹脂をベースとした無溶媒の接着剤から選ばれ、且つ、熱手段、加圧手段、摩擦手段等の無溶媒の接着手段から選ばれたものである。
【考案の効果】
【０００７】
この考案によると、溶媒を必要としないテープ型接着剤を用いる事で、均一な接着層が得られ、又、接着剤のはみ出しが無く、ホットメルトタイプで溶媒を使用しない事により、環境に優しく、臭気が無く、触媒による火災の心配も無く、溶媒の乾燥時間が節約でき、場所も節約できるものである。
【０００８】
又、接着方法としては、環境・用途に応じた高周波加熱、超音波シール、熱プレス等が有り、何れの方式でも容易に強力な接着が得られる為、非常に便利である。
【０００９】
又、溶媒を必要としない接着手段の為、従来の様に、溶媒と接着剤との関係に対し、経時変化による対応をする必要が無く、又、硬化変質の恐れが無く、従って、熟練を必要とせず、コストダウンも可能となり、作業性・安全性面において、極めて有益なる効果を奏するものである。
【考案を実施するための最良の形態】
【００１０】
この考案を実施する為の最良の形態としては、フィルム状の接着シートの種類（仕様）が様々であり、環境や用途に適応した最適なテープ型接着剤を選択する事が重要である。
【実施例１】
【００１１】
そこで、この考案の一実施例を図１〜図２に基づいて詳述すると、航空機、船舶、車輌、家庭電器々具、自動車、競技用ラミネートボール等の各種基材と基材、又は繊維資材とその他の基材等の２部材間を固着する接着シートにおいて、該接着シートは、所定の幅（Ｗ）と、所定の長尺長さ（Ｌ）と、所定の厚み（Ｔ）を有するフィルム状の接着シート（１）と剥離シート（２）を二枚重ねにし、且つ、長尺方向にテープ状に巻付して成り、且つ、無溶媒の接着手段を用いて接着可能にした事を特徴とするテープ型接着剤から構成される。
【００１２】
又、フィルム状の接着シート（１）（エルファン）が、ポリアミド系、ポリオレフィン系、ポリウレタン系、Ｅ．Ｖ．Ａ系、ポリエステル系等の樹脂をベースとした、無溶媒の接着剤から選ばれたものである事を特徴とするテープ型接着剤から構成される。
【００１３】
又、無溶媒の接着手段が、熱手段、加圧手段、摩擦手段である事を特徴とするテープ型接着剤から構成され、繊維、金属、木材、プラスチック、ガラス、皮革等の各種素材の接着が可能である。
【００１４】
そして、この考案は航空機、船舶、車輌、家庭電器々具、自動車、マーク、刺繍、カバン、文房具、履物、鞄、プリント配線、フロック加工、サンドウィッチ、構造材料、壁材、楽器、ソーラー器具、家具材等数多くの用途に採用されている。
【００１５】
次に、この考案のフィルム状の接着シート（１）（エルファン）の品種と規格（フィルム幅・ロール巻長・厚み）について概要を説明する。まず、最初に品種は、エルファン−ＮＴ・エルファン−ＵＨ・エルファン−ＰＨ・エルファン−ＯＨ・エルファン−ＳＨの５種類あり、その中で更に数種のタイプに分類されている。又、サイズ規格は、フィルム幅（Ｗ）が、５００ｍｍと１０００ｍｍの２種類で、ロール巻き長（Ｌ）が２００ｍで、厚み（Ｔ）が０．０３ｍｍ〜０．２ｍｍである。但し、フィルム幅（Ｗ）に関しては、１０ｍｍ以上であれば、使用目的や用途に応じて適宜スリッター加工も可能である。
【００１６】
次に、この考案の使用方法について説明すると、図３に示す様に、フィルム状接着シート（１）（エルファン）と剥離シート（２）を二枚重ねにしたテープ状の接着シートを適宜長さ程分断し、部材（３）と部材（４）の間に挟み込み、接合する部材に適合した無溶媒の接着手段（熱手段、加圧手段、摩擦手段等）を選択し接着する。
【産業上の利用可能性】
【００１７】
この考案のテープ型接着材は、使用する用途が広範囲で、且つ、接着シートを接着フィルム、熱接着フィルム等の無溶媒の接着剤から選ばれたものを使用する事で、広範囲の市場に寄与する点で産業上の利用可能性を有する。
【図面の簡単な説明】
【００１８】
【図１】この考案の一実施例を示し、斜視図である。
【図２】この考案の一実施例を示し、部分拡大断面図である。
【図３】この考案の使用例を示し、（Ａ）は剥離シート取り外し要領を示す拡大断面図で、（Ｂ）は部材間接合時の拡大断面図である。
【符号の説明】
【００１９】
１  フィルム状接着シート
２  剥離シート
３  部材
４  部材
Ｌ  所定の長尺長さ
Ｗ  所定の幅
Ｔ  所定の厚み
【図１】
0003105224.tif 000003
【図２】
0003105224.tif 000004
【図３】
0003105224.tif 000005